(57)【特許請求の範囲】
【請求項１】
ドアの上部に設けられたドア上パネルと、ドア上パネルに隣接して設けられ床からドア上パネル上端までの高さを有する壁パネルを、連結材により連結するパネルの接続構造において、
連結材は二枚のパネルに渡ってパネルの裏面に嵌合してパネル同士を連結し、連結材の端部にはドア上パネルの誤組立防止部が設けられており、
パネルと連結材のいずれかに突起部が設けられ、もう一方に端部が細溝で形成される縦構部が設けられ、突起部を縦溝部の細溝に嵌め込むことによってパネルと連結材が固定され、突起部および縦溝部がパネルおよび連結材の高さ方向中央から上または下に位置ずれして設けられており、ドア上パネルを上下移動させることにより連結材に連結可能な構成とされていることを特徴とするパネルの接続構造。
【請求項２】
請求項１に記載のパネルの接続構造において、誤組立防止部は連結材の端部がパネル表面側に屈曲されて設けられており、誤組立防止部の先端は壁パネルの表面よりは裏面側に位置することを特徴とするパネルの接続構造。
【請求項３】
請求項１または２に記載のパネルの接続構造において、誤組立防止部は連結材の壁パネル側の上端部に設けられていることを特徴とするパネルの接続構造。
【請求項４】
請求項１から３のいずれかに記載のパネルの接続構造において、ドア上パネルの左右両端にそれぞれ壁パネルが連結材によって連結されており、少なくとも左右どちらか一方の連結材に誤組立防止部が設けられていることを特徴とするパネルの接続構造。
【発明の詳細な説明】
【技術分野】
【０００１】
本発明は、連結材を利用したパネルの接続構造に関し、ドアの上部に設けられたドア上パネルと、ドア上パネルに隣接して設けられ床からドア上パネル上端までの高さを有する壁パネルを連結する連結材を利用したパネルの接続構造に関するものである。
【背景技術】
【０００２】
従来、ドアの上に設けられたパネルをドア上パネル、ドア上壁パネル、欄間パネル等と呼ばれており、本明細書ではこれらをドア上パネルと言うが、ドア上パネルと壁パネルの取付構造が知られている（特許文献１、２、３参照）。
【０００３】
また、補強材を有するパネル同士を、互いの補強材をジョイナを介して接続する接続構造が知られている（特許文献４参照）。
【０００４】
図７〜図１２は、本出願人においてすでに開発しているドア上パネルと壁パネルとを連結する連結材および接続構造（本明細書では「先行技術」という）を示す図である。図７（ａ）に示すように、ドア４０の上に設けられたドア上パネル１は、その左端部は、平状の連結材３７で壁パネル２と平面視で直線的に連結されており、その右端部は、角状（アングル状）の連結材３８によって平面視で壁パネル２と直角的に連結されている。
【０００５】
平状の連結材３７は、図７（ｂ）、（ｃ）、図８（ｂ）に示すように、左右の当接部３２と、左右の当接部３２の間において当接部３２から裏面側に向けて突出した非当接部３３と、当接部３２の左右側に、それぞれ表面側に向けて突出した折り返し片３４と、を備えている。
【０００６】
図７（ｃ）、図８（ｂ）に示すように、当接部３２の表面側の左右には、それぞれ突起部１１が設けられている。この突起部１１は首部１２と、首部１２を介して表面側に向けてテーパ状に拡大する大径部１３とから形成されている。
【０００７】
大径部１３の最大直径は、後記する縦桟３の縦溝部６の太溝１６の巾より小さく、細溝１７の幅より大きく形成されている。また、非当接部３３の下端から表面側に向けて水平に突き出るようにコーキング材の流れ止め用の舌部３５（図７、（ｃ）、図８（ｂ）参照）が形成されている。
【０００８】
図８（ａ）は、互いに連結するドア上パネル１と隣接する壁パネル２を裏面側から見た図であるが、ドア上パネル１は、その左右の側端部（図８（ａ）は左側端部のみを示す）における基材４１の主面部（表面側の面）４２、折曲部４３および折返部４４で囲まれた空間に、縦桟３が挿入されており、折返部４４に予め形成したダボを縦桟３に予め形成したダボ孔に係合してなる固定部４７で、折返部４４と縦桟３が固定されている。
【０００９】
縦桟３には、連結材嵌合用の上下方向に延びる縦溝部６が形成されている。この縦溝部６は、平状の連結材３７の突起部１１が抜き差し可能な横幅が広い太溝１６と、突起部１１が抜き差しができない横幅の狭い細溝１７と、から構成されている。基材４１の裏面には、補強材４８が接着剤によって接着されている。
【００１０】
壁パネル２における側端のうち、ドア上パネル１と連結される側端部は、ドア上パネル１の側端部と同様の構造であり、基材４１の主面部４２、折曲部４３および折返部４４で囲まれる空間に、縦桟３が挿入され、折返部４４に予め形成したダボを縦桟３に予め形成したダボ孔に係合してなる固定部４７で、折返部４４と縦桟３が固定されている。
【００１１】
この縦桟３には、連結材嵌合用の上下方向に延びる縦溝部６が形成されている。この縦溝部６は、横幅が広い太溝１６と横幅の狭い細溝１７とから構成されており、基材４１の裏面には、補強材４８が接着剤によって接着されている。
【００１２】
ドア上パネル１と壁パネル２を連結する際には、図９（ｂ）に示すように、連結材３７の左右の突起部１１を、それぞれドア上パネル１と壁パネル２の縦桟３にそれぞれ形成された連結材嵌合用の縦溝部６に嵌合する。
【００１３】
これによって、ドア上パネル１と壁パネル２は、図９（ａ）、（ｂ）に示す接続構造のように、平状の連結材３７によって互いに連結することができる。なお、ドア上パネル１と壁パネル２の連結端には、必要に応じて目地材４９、コーキング材等を装入する。
【００１４】
図１０、図１１は、ドア上パネル１と平面視で直角に接続される壁パネル２を連結する角状の連結材３８、およびこの角状の連結材３８による接続構造を説明する図である。角状の連結材３８（図１０（ａ）、（ｂ）参照）および接続構造（図１１（ｂ）参照）は、図８、図９に示す連結材３７および接続構造に比べて、ドア上パネル１と壁パネル２を互いに直角状に連結する点では相違するが、基本的には同じである。
【００１５】
この接続構造では、連結材３８は、図１０（ａ）、（ｂ）に示すように、平面視で互いに直角になる２つの当接部２５が形成されており、その表面側に、首部１２とテーパ状に拡大する大径部１３から成る突起部１１が突出するように設けられている。
【００１６】
当接部２５の側端の上下方向に沿った一部には折り返し片２９が形成されており、角状の連結材３８の２つの当接部２５の角部の下端には、コーキング材の流れ止め用の舌部３０が設けられている。
【先行技術文献】
【特許文献】
【００１７】
【特許文献１】特開２００４−１１２２１号公報
【特許文献２】特開２００９−１１４６９２号公報
【特許文献３】特開２００９−２６３９９３号公報
【特許文献４】実用新案登録第２５０７３３９号公報
【発明の概要】
【発明が解決しようとする課題】
【００１８】
上記図７〜図１２に示す先行技術の連結材３７、３８および接続構造では、図１２において説明するが、ドア上パネル１が上下反転（上下逆向き）の状態で壁パネル２と連結されてしまうという、誤組立が生じる可能性がある。
【００１９】
このような誤組立があると、ドア上パネル１の表面にデザインが付されている場合、所定のデザインを表現することができなくなる。また、コーキング材の流れ止め用の舌部３０、３５が上方に位置してしまい、下方でコーキング材の流れ止めするべき舌部としては役立たない等の問題が生じる。このような誤組立について、図１２等においてさらに説明する。
【００２０】
ドア上パネル１と壁パネル２を連結する場合、図１２（ａ）は、ドア上パネル１と左右の連結材３７、３８を、それぞれ固定するに際して、予め決められた所定の上下正しい向きに配置した場合を示している。
【００２１】
この図１２（ａ）に示す場合は、左右の連結材３７、３８の突起部１１を、それぞれドア上パネル１の縦桟３の裏面にそれぞれ形成された連結材嵌合用の縦溝部６に嵌合し、ドア上パネル１を左右の連結材３７、３８に対し相対的に下方に移動すれば、ドア上パネル１に左右の連結材３７、３８を取り付けることができる。
【００２２】
図１２（ｂ）は、ドア上パネル１が上下正しい向きに配置されているが、左右の連結材３７、３８が上下反転して（上下逆向き）に配置された場合を示している。この場合は、ドア上パネル１に左右の連結材３７、３８を取り付けることができない。
【００２３】
図１２（ｂ）に示す配置の場合は、左右の連結材３７、３８の突起部１１をそれぞれ、仮に、ドア上パネル１と壁パネル２の縦桟３にそれぞれ形成された連結材嵌合用の縦溝部６に嵌合し、ドア上パネル１を左右の連結材３７、３８に対し相対的に下方に移動しても、ドア上パネル１と左右の連結材３７、３８は上下方向にずれて取り付けられてしまうので、ドア上パネル１と左右の連結材３７、３８を正しく取り付けることができないのである。
【００２４】
なお、図示はしないが、ドア上パネル１が上下反転して（上下逆向き）に配置され、左右の連結材３７、３８が上下正しい向きに配置された場合も、同様にドア上パネル１に左右の連結材３７、３８を取り付けることができない。
【００２５】
図１２（ｃ）は、ドア上パネル１と左右の連結材３７、３８を、共に上下方向に正常ではなく、誤って上下反転して（上下逆向き）に配置した場合を示している。この場合は、図１２（ａ）と同様に、ドア上パネル１と左右の連結材３７、３８は、互いにずれることなく取り付けることができる。しかし、ドア上パネル１が上下反転した状態で取り付けられてしまい、誤組立となってしまうという問題が生じる。
【００２６】
本発明は、ドア上パネルを左右の連結材に取り付ける際に生じる上記誤組立を防止することを目的とするものであり、連結材に誤組立を防止する手段を付与することによって、ドア上パネルが上下反転した状態で連結材に取り付けられないようにすることを課題とする。
【課題を解決するための手段】
【００２７】
本発明は上記課題を解決するために、ドアの上部に設けられたドア上パネルと、ドア上パネルに隣接して設けられ床からドア上パネル上端までの高さを有する壁パネルを、連結材により連結するパネルの接続構造において、連結材は二枚のパネルに渡ってパネルの裏面に嵌合してパネル同士を連結し、連結材の端部にはドア上パネルの誤組立防止部が設けられており、パネルと連結材のいずれかに突起部が設けられ、もう一方に端部が細溝で形成される縦構部が設けられ、突起部を縦溝部の細溝に嵌め込むことによってパネルと連結材が固定され、突起部および縦溝部がパネルおよび連結材の高さ方向中央から上または下に位置ずれして設けられており、ドア上パネルを上下移動させることにより連結材に連結可能な構成とされていることを特徴とするパネルの接続構造を提供する。
【００２８】
誤組立防止部は連結材の端部がパネル表面側に屈曲されて設けられており、誤組立防止部の先端は壁パネルの表面よりは裏面側に位置する構成とすることが好ましい。
【００２９】
誤組立防止部は連結材の壁パネル側の上端部に設けられていることが好ましい。
【００３０】
ドア上パネルの左右両端にそれぞれ壁パネルが連結材によって連結されており、少なくとも左右どちらか一方の連結材に誤組立防止部が設けられていることが好ましい。
【発明の効果】
【００３２】
本発明では、二枚のパネルに渡ってパネルの裏面に嵌合してパネル同士を連結する連結材の端部にドア上パネルの誤組立防止部が設けられているので、ドア上パネルの上下反転等の誤組立を防止することができる。
【図面の簡単な説明】
【００３３】
【図１】本発明に係る接続構造の実施例において、連結材を説明する図であり、（ａ）は斜視図であり、（ｂ）は（ａ）の矢視でＢ方向に見た図であり、（ｃ）は（ａ）の要部Ｃの拡大図である。
【図２】（ａ）は本発明に係る接続構造の実施例において、別の構成の連結材を説明する図であり、（ａ）は斜視図であり、（ｂ）は表面側から見た正面図である。
【図３】（ａ）は本発明の実施例の上記別の構成の連結材で直線的に連結するドア上パネルと壁パネルの斜視図であり、（ｂ）は上記別の構成の連結材の平面図である。
【図４】本発明に係る接続構造において、ドア上パネルに連結材を正常な状態で取り付ける場合を説明する図であり、ドア上パネルと連結材を、（ａ）は裏面側から見た図であり、（ｂ）は表面側から見た図である。
【図５】本発明に係る接続構造において、ドア上パネルと連結材を共に上下反転した誤った状態で取り付けようとする場合を説明する図であり、（ａ）は裏面側から見たドア上パネルと連結材（連結材については平面図も示す）を上下正常に並べた状態を示す図であり、（ｂ）はドア上パネルと連結材を共に上下反転した誤った状態で並べた状態を示す図である。
【図６】本発明に係る接続構造において、ドア上パネルに連結材を共に上下反転した誤った状態で取り付けようとする場合を説明する図であり、（ａ）はドア上パネルに連結材を取り付けようとしている状態を裏面側から見た図であり、（ｂ）はドア上パネルに連結材を取り付けようとしている状態を斜め下方から見た斜視図である。
【図７】ドア上パネルと壁パネルを連結する連結材と接続構造の先行技術を説明する図であり、（ａ）は連結されたドア上パネルと壁パネルの全体構成を示す斜視図であり、（ｂ）はドア上パネルと壁パネルを直線的に連結する連結材を裏面側から見た斜視図であり、（ｃ）はその連結材を表面側から見た正面図である。
【図８】上記先行技術の接続構造における、ドア上パネルと壁パネルの直線的な接続構造を説明する図であり、（ａ）はドア上パネルと壁パネルを並べた状態を示す斜視図であり、（ｂ）は連結材の平面図である。
【図９】上記先行技術のドア上パネルと壁パネルの直線的な接続構造を説明する図であり、（ａ）は裏面側から見た斜視図であり、（ｂ）は平面図である。
【図１０】先行技術のドア上パネルと壁パネルを直角的に連結する連結材を説明する図であり、（ａ）は斜視図であり、（ｂ）は平面図である。
【図１１】上記先行技術のドア上パネルと壁パネルを直角的に連結する接続構造を説明する図であり、（ａ）はドア上パネルと壁パネルを直角に並べた状態を示す斜視図であり、（ｂ）は接続構造の水平断面図である。
【図１２】図７（ａ）に示す上記先行技術の接続構造における問題点を説明する裏面側から見た正面図であり、（ａ）はドア上パネルと壁パネルを上下正常な状態に配置した状態を示し、（ｂ）はドア上パネルを正常に配置したが、連結材を上下反転した（上下逆向き）状態に配置した状態を示し、（ｃ）はドア上パネルと壁パネルを共に上下反転し（上下逆向き）状態に配置した状態を示す図である。
【発明を実施するための形態】
【００３４】
本発明に係る連結材を利用したパネルの接続構造を実施するための形態を実施例に基づき図面を参照して、以下説明する。
【実施例】
【００３５】
本発明に係る連結材を利用したパネルの接続構造の実施例を図１〜図６において説明する。この実施例のパネルの接続構造において、連結材で互いに連結されるパネルは、ドア上パネルと床からドア上パネル上端までの高さを有する壁パネル（以下、「壁パネル」という）である。
【００３６】
本実施例のドア上パネルと壁パネルの連結材および接続構造は、先行技術として図７（ａ）に示す、ドア上パネル１と壁パネル２が平面視で互いに直線的に連結される接続構造および平面視で直角的に連結される接続構造のいずれにも適用可能である。
【００３７】
本明細書では、ドア上パネルと壁パネルにおいて、利用者から通常目視できる側、例えば、浴室内から見える側を表面側と言い、その裏側を裏面側という。なお、後記する連結材についても、ドア上パネルと壁パネルを連結するために配置する際に、ドア上パネルまたは壁パネルの表面側に向く面を表面側と言い、その裏側を裏面側という。
【００３８】
本発明のドア上パネル１および壁パネル２は、図７〜図１２において示す先行技術のドア上パネル１および壁パネル２と同じ構成であるが、特に重要な構成について、先行技術の説明および図と一部重複するが、以下説明する。
【００３９】
本発明のドア上パネル１は、横方向の左右の端部にそれぞれ、図３（ａ）、図４（ａ）に示すように、縦桟３が設けられている。縦桟３には、図８（ａ）、図１１（ａ）に示す先行技術と同様に、高さ方向（上下方向）の中央から下方（または上方）にずれた位置に、上下方向に延びる連結材嵌合用の縦溝部６が形成されている。     
【００４０】
この縦溝部６は、後記する平状の連結材７、角状の連結材８の突起部１１が抜き差し可能な横幅が広い太溝１６と、太溝１６から上下に延び、突起部１１の首部１２は挿通できるが大径部１３が抜き差しできないような横幅の狭い細溝１７と、から構成されている。
【００４１】
本発明の壁パネル２も、図８（ａ）、図１１（ａ）に示す先行技術と同様に、図３（ａ）に示すように、その端部に縦桟３を有し、ドア上パネル１の縦桟３に対応する上下範囲において、高さ方向（上下方向）の中央から上方（または下方）にずれた位置に、上下方向に延びる連結材嵌合用の縦溝部６が、形成されている。この縦溝部６の構成は、ドア上パネル１の縦桟３に形成された縦溝部６と同様に、太溝１６と細溝１７から構成されている。
【００４２】
本発明に係る連結材には、図３（ａ）に示すように互いに直線的に配置した、ドア上パネル１と壁パネル２を連結する平状の連結材７（図２（ａ）、（ｂ）、図３（ｂ）参照）と、直角的に連結する角状（アングル状）の連結材８（図１（ａ）〜（ｃ）参照）がある。
【００４３】
本発明の実施例の平状の連結材７および角状の連結材８は、それぞれ先行技術の連結材３７、３８（図７（ｂ）、（ｃ）および図１０（ａ）、（ｂ）参照）と共通の構成を有するが、前記した課題を解決するために、本発明に特有な構成を備えている。この点について、以下、具体的に説明する。
【００４４】
角状の連結材８は、図１（ａ）、（ｂ）に示すように、平面視で互いに直角状に交叉する２つの当接部２５を有し、２つの当接部２５の当接面であって、上下方向の中心より下側の位置に突起部１１が設けられている。
【００４５】
この突起部１１は、図１０（ａ）、（ｂ）に示す先行技術と同様に、当接部２５に固定された首部１２と、首部１２を介して表面側に向けてテーパ状に拡大する大径部１３とから形成されているが、大径部１３の最大直径は、縦溝部６の太溝１６の幅より小さく、細溝１７の幅より大きく形成されている。首部１２は、細溝１７に挿通可能な径に形成されている。
【００４６】
角状の連結材８には、先行技術と同様に、当接部２５の側端の上下方向の一部には折り返し片２９が形成されており、また、２つの当接部２５の角部の下端には、コーキング材の流れ止め用の舌部３０が設けられている。
【００４７】
本発明の角状の連結材８の特徴は、図１（ａ）〜（ｃ）に示すように、１つの当接部２５（壁パネル２に当接する側の当接部２５）の上端部に、誤組立防止部２６が形成されている。この誤組立防止部２６は、具体的には、当接部２５の上端から上方に延びた起立部２７と、起立部２７の上端からパネルの表面側に向けて水平に屈曲された屈曲部２８と、を備えている。
【００４８】
誤組立防止部２６の屈曲部２８の屈曲方向の長さＬ（図１（ｂ）参照）は、接続構造において、その先端が壁パネル２の表面よりは裏面側に位置するような長さとすることが好ましい。そのような長さとすると、接続構造において、誤組立防止部２６の屈曲部２８の先端が壁パネル２より表面側に露出しないので、見栄えが悪くならない。
【００４９】
なお、誤組立防止部２６は、図１（ａ）に示すように、１つの当接部２５の上端の巾方向の一部にわたって形成された構成でも良いが、巾方向の全長にわたって形成された構成としても良い。また、誤組立防止部２６は、起立部２７を設けることなく、当接部２５の上端から直接、表面側に水平に屈曲された屈曲部２８を備えている構成としてもよい。
【００５０】
次に、平状の連結材７について説明する。平状の連結材７は、図２（ａ）、（ｂ）、図３（ｂ）に示すように、左右の当接部３２と、左右の当接部３２の間において当接部３２から裏面側に向けて突出した非当接部３３と、当接部３２の左右側に、それぞれ表面側に向けて突出した折り返し片３４と、を備えている。また、非当接部３３の下端から表面側に向けて水平に突き出るように、コーキング材の流れ止め用の舌部３５が形成されている。
【００５１】
平状の連結材７の左右の当接部３２の表面側には、図２（ｂ）、図３（ｂ）に示すように、それぞれ突起部１１が設けられている。この突起部１１は、当接部３２に固定された首部１２と、首部１２を介して表面側に向けてテーパ状に拡大する大径部１３とから形成されている。平状の連結材７のこのような構成は、図７（ｂ）、（ｃ）、図８（ｂ）に示す先行技術と共通している。
【００５２】
しかしながら、本発明の平状の連結材７の特徴は、図２（ａ）、（ｂ）、図３（ｂ）に示すように、１つの当接部３２（壁パネル２と当接する当接部３２）上端に、誤組立防止部２６が形成されている。この誤組立防止部２６は、具体的には、当接部３２の上端から上方に延びた起立部２７と、起立部２７の上端から表面側に水平に屈曲された屈曲部２８とを備えている。
【００５３】
誤組立防止部２６の屈曲部２８の屈曲方向の長さＬ（図２（ａ）参照）は、接続構造において、その先端が壁パネル２の表面よりは裏面側に位置するような長さとすることが好ましい。その理由は、前記した角状の連結材８の場合と同じである。なお、誤組立防止部２６は、起立部２７を設けることなく、当接部３２の上端から直接、表面側に水平に屈曲された屈曲部２８を備えている構成としてもよい。
【００５４】
（作用）                     
以上の構成から成る連結材７、８を利用してドア上パネル１と壁パネル２を連結する際の作業を通して、連結材７、８の作用およびパネルの接続構造等を説明する。ドア上パネル１と壁パネル２を、平状の連結材７を介して直線的に連結する接続構造と角状の連結材８を介して直角的に連結する接続構造は、互いに基本的には同じであるが、ここでは角状の連結材８を介して連結する場合について説明する。
【００５５】
ドア上パネル１と壁パネル２と直交する状態で連結する際に、ドア上パネル１に角状の連結材８を、正常な状態、即ちドア上パネル１と角状の連結材８を予め上下決められた状態で取り付ける場合には、裏面側から見ると図４（ａ）に示すとおり配置し、表面側から見ると図４（ｂ）に示すとおり配置する。
【００５６】
そして、図示はしないが、角状の連結材８の突起部１１を縦溝部６の太溝１６に挿入し、角状の連結材８に対してドア上パネル１を下方に移動して突起部１１の首部１２を縦溝部６の細溝１７に嵌め込むことで、突起部１１を縦溝部６から抜け止めした状態とすることで、ドア上パネル１に角状の連結材８を取り付ける。
【００５７】
ドア上パネル１に取り付けた角状の連結材８を、壁パネル２に先行技術と同様に取り付けることによって、ドア上パネル１と壁パネル２との接続構造が形成され、これによって、ドア上パネル１と壁パネル２が互いに直交した状態で連結される。この本発明の接続構造自体は、図１１（ｂ）に示す構成と比べて、連結材８は誤組立防止部２６を有し、連結材３８は誤組立防止部２６を有しない点を除いて、同じである。
【００５８】
ところで、ドア上パネル１に角状の連結材８を取り付ける際に、ドア上パネル１と角状の連結材８を共に正常な状態に配置（図５（ａ）参照）することなく、誤って、ドア上パネル１と角状の連結材８を、共に上下反転した（上下逆向き）状態で配置（図５（ｂ）参照）して取り付けようとする場合は、角状の連結材８の突起部１１を縦溝部６の太溝１６に挿入しようとしても挿入できない。その理由を、以下さらに説明する。
【００５９】
ドア上パネル１と角状の連結材８を共に、正常な状態とは表裏の向きを変えることなく、誤って上下反転（上下逆向き）状態にすると、ドア上パネル１は裏面側から見て、図５（ａ）に示す正しい状態から図５（ｂ）に示す状態のように、左右端は入れ替わるとともに、縦溝部６は上下方向中心より下方の位置から、上下方向中心より上方の位置に変わる。
【００６０】
一方、角状の連結材８は、その誤組立防止部２６は、図５（ａ）に示すようにドア上パネル１の右端側に対向する位置（図５（ａ）の角状の連結材８参照）から、ドア上パネル１の右端側の縦桟３の裏面に対面する位置（図５（ｂ）、図６（ａ）、（ｂ）参照）になる。
【００６１】
そのために、角状の連結材８をドア上パネル１に取り付ける際に、ドア上パネル１の裏面側から当接させようとすると、図６（ａ）、（ｂ）に示すように、角状の連結材８の誤組立防止部２６が縦桟３の裏面に当たって規制されてしまい、角状の連結材８の突起部１１を縦溝部６の太溝１６に挿入することができない。
【００６２】
従って、ドア上パネル１と角状の連結材８を上下反転した（上下逆向き）状態にして取り付けようとする誤組立を防止することが可能となる。その結果、ドア上パネル１の表面に付されたデザイン、模様等が、逆さになることが防止でき所定の表現をすることができる。また、舌部３０は、連結材８の上端に位置するようなことがなく、コーキング材流れ止めのために所定の機能を発揮する。
【００６３】
図示はしないが、ドア上パネル１と壁パネル２を、平状の連結材７を介して直線的に連結する際に、ドア上パネル１に平状の連結材７を取り付ける作業、取付構造は、上記ドア上パネル１に角状の連結材８を取り付ける作業、取付構造と同じである。
【００６４】
特に、ドア上パネル１に平状の連結材７を、ドア上パネル１と平状の連結材７を共に正常な状態ではなく、誤って上下反転した（上下逆向き）状態にして取り付けようとする場合は、平状の連結材７の誤組立防止部２６がドア上パネル１の縦桟３に当接して規制されてしまい、平状の連結材７の突起部１１を縦溝部６の太溝１６に挿入することができないので、ドア上パネル１に平状の連結材７を取り付けることができず、誤組立を防止することが可能となる。
【００６５】
裏面側から見て、ドア上パネル１を、その右側端を角状の連結材８によって直角状に壁パネル２に連結し、その左側端を平状の連結材７によって直線状に壁パネル２に連結する構成とした場合（先行技術の図７（ａ）参照）、平状の連結材７および角状の連結材８のいずれかに誤組立防止部２６が設けられたものを使用すれば、ドア上パネル１の上下反転を防止できる。
【００６６】
ところで、本発明では、図７（ａ）に示す先行技術と同様に、ドア上パネル１を、その左右方向の一端側を平状の連結材７によって直線状に壁パネル２に連結することができ、その他端側を角状の連結材８によって直角状に壁パネル２に連結することができる。
【００６７】
このような場合、平状の連結材７および角状の連結材８のいずれかに誤組立防止部２６を設ければ、誤ってドア上パネル１および連結材７又は連結材８を上下反転して組み立てる誤組立を防止することができる。
【００６８】
上記実施例では、連結材７、８によるパネルの接続構造において、ドア上パネル１および壁パネル２にそれぞれ縦構部６が設けられており、連結材７および連結材８に突起部１１が設けられた構成である。しかしながら、ドア上パネル１および壁パネル２に突起部１１と同じ構成の突起部が設けられ、連結材７および連結材８に縦構部６と同じ構成の縦構部が設けられた構成としてもよい。
【００６９】
そのような構成の場合は、縦溝部および突起部がそれぞれ、ドア上パネル１および壁パネル２の高さ方向中央から上または下の位置ずれて設けられており、突起部を縦溝部に嵌め込むことによって、ドア上パネル１および壁パネル２に連結材７、８が取り付けられる。
【００７０】
以上、本発明に係る連結材を利用したパネルの接続構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７１】
本発明に係る連結材を利用したパネルの接続構造は上記のような構成であるから、ドア上パネルと壁パネルを連結する接続構造だけでなく、互いに隣接するパネルを予め決められた所定の上下方向に反転することなく連結するパネルの接続構造に広く適用可能である。
【符号の説明】
【００７２】
１  ドア上パネル                           
２  壁パネル                               
３  縦桟                                   
６  縦溝部                                 
７  平状の連結材                                 
８  角状の連結材                                 
１１  突起部                               
１２  突起部の首部                         
１３  突起部の大径部                       
１６  縦溝部の太溝                         
１７  縦溝部の細溝                         
２５  角状の連結材の当接部                 
２６  誤組立防止部                         
２７  誤組立防止部の起立部                 
２８  誤組立防止部の屈曲部
２９  角状の連結材の折り返し片
３０  コーキング材流れ止め用の舌部                 
３２  平状の連結材の当接部                 
３３  非当接部                             
３４  平状の連結材の折り返し片
３５  コーキング材流れ止め用の舌部
３７  平状の連結材
３８  角状の連結材                               
４０  ドア                                 
４１  基材                                 
４２  基材の主面部（表面側の面）           
４３  折曲部                               
４４  折返部                               
４７  固定部
４８  補強材                               
４９  目地材                               
【図１】
0006774707.tif 000002
【図２】
0006774707.tif 000003
【図３】
0006774707.tif 000004
【図４】
0006774707.tif 000005
【図５】
0006774707.tif 000006
【図６】
0006774707.tif 000007
【図７】
0006774707.tif 000008
【図８】
0006774707.tif 000009
【図９】
0006774707.tif 000010
【図１０】
0006774707.tif 000011
【図１１】
0006774707.tif 000012
【図１２】
0006774707.tif 000013